(57)【要約】【課題】アクチュエータによって接続対象物をグランドコンタクト及びシグナルコンタクトに接触させる構造でありながら、良好なインピーダンス整合機能を発揮しうるコネクタを提供する。【解決手段】グランドコンタクト４０とシグナルコンタクト５０のうちグランドコンタクトのみがアクチュエータ６０を接続対象物９０側に押圧する押さえアーム４２を具備する。【選択図】図４
2008186600.tif 000002
【特許請求の範囲】
【請求項１】
絶縁材料からなるインシュレータと、
接続対象物の表面と裏面の一方と電気的に導通可能な接触アームを備え、上記インシュレータに一方向に並ぶように固定された複数のグランドコンタクトと、
上記接続対象物の上記一方の面と電気的に導通可能な接触アームを備え、隣り合う上記グランドコンタクトの間に位置する態様で上記インシュレータに固定された複数のシグナルコンタクトと、
上記接続対象物の表面と裏面の他方に当接可能なアクチュエータと、を備え、
上記グランドコンタクトとシグナルコンタクトのうちグランドコンタクトのみが、上記アクチュエータを上記接続対象物側に押圧する押さえアームを具備することを特徴とするコネクタ。
【請求項２】
請求項１記載のコネクタにおいて、
上記アクチュエータが回転式アクチュエータであり、
該回転式アクチュエータは被挟持部を備え、上記押圧アームによって上方から押さえられた該被挟持部回りに回転可能であるコネクタ。
【請求項３】
請求項１または２記載のコネクタにおいて、
隣り合う上記グランドコンタクトの間に一対の上記シグナルコンタクトが位置しているコネクタ。
【請求項４】
請求項１または２項載のコネクタにおいて、
上記シグナルコンタクトとグランドコンタクトが、上記一方向に交互に並んでいるコネクタ。
【請求項５】
請求項１から４のいずれか１項記載のコネクタにおいて、
上記グランドコンタクトの板厚は上記シグナルコンタクトの板厚より厚いコネクタ。
【請求項６】
請求項１から５のいずれか１項載のコネクタにおいて、
上記シグナルコンタクトが、上記接触アームの基端部を支持しかつ貫通穴が形成された基部を備えるコネクタ。
【発明の詳細な説明】
【技術分野】
【０００１】
本発明は、基板とフレキシブルプリント基板（ＦＰＣ）等の接続対象物を電気的に導通させるためのコネクタに関する。
【背景技術】
【０００２】
特許文献１に開示されたフレキシブルプリント基板（ＦＰＣ）用のコネクタは、前面に開口部を備える絶縁材料製のインシュレータと、インシュレータの開口部内に並べて固定された複数のチューニングフォーク型のコンタクトと、を備えている。これら複数のコンタクトは二種類のコンタクト、即ちグランドコンタクト３とシグナルコンタクト４からなり、グランドコンタクト３とシグナルコンタクト４は交互に設けられている。
このコネクタの開口部にＦＰＣを挿入すると、グランドコンタクト３及びシグナルコンタクト４の上部アームと下部アームの間にＦＰＣが位置する。そして、グランドコンタクト３及びシグナルコンタクト４の上部アームがＦＰＣの上面に形成した導通部と接触し（電気的に導通し）、グランドコンタクト３及びシグナルコンタクト４の下部アームがＦＰＣの下面に形成した導通部と接触する（電気的に導通する）。
【０００３】
一方、特許文献２に開示されたＦＰＣ用コネクタは、前面に開口部を備える絶縁材料製のインシュレータと、インシュレータの開口部内に並べて固定された複数のチューニングフォーク型のコンタクト（導電端子１２）と、その下端部がインシュレータに回転可能に支持されたアクチュエータ１３と、を備えている。このコネクタのコンタクト１２はすべて同一仕様（同一種類）である。アクチュエータは、その下端面がインシュレータの底面（接触表面１１ｃ）に支持され、かつその下端部に設けた回動軸１３ａの上面がコンタクト１２の上部アーム（弾性支持部１２ｄ）の先端下面に形成した凹部に係合することにより、インシュレータに対して回転可能となっている。
このコネクタでは、ＦＰＣをインシュレータの開口部から各コンタクト１２の上部アームと下部アームの間に挿入しても、アクチュエータが開位置に位置するときはＦＰＣの下面の導通部と各下部アームの接触状態が不確実なので、各コンタクト１２とＦＰＣは電気的に導通しない。しかし、アクチュエータを閉位置まで回転させると、アクチュエータによってＦＰＣが下方に押圧されるので、ＦＰＣの下面の導通部と各下部アームが確実に接触して互いに電気的に導通する。
【０００４】
特許文献１のコネクタは構造が簡単であるものの、アクチュエータを具備しないのでグランドコンタクト及びシグナルコンタクトとＦＰＣとを確実に接触させられないおそれがある。
そこで、特許文献１のようにグランドコンタクトとシグナルコンタクトを具備するコネクタにおいて特許文献２のようなアクチュエータを設け、グランドコンタクト及びシグナルコンタクトの上部アームでアクチュエータの回動軸を上方から押さえれば、ＦＰＣの下面の導通部とグランドコンタクト及びシグナルコンタクトの下部アームを確実に導通させることが出来る。
【特許文献１】特開２００３−１６８５２３号公報
【特許文献２】特開２００６−３１０１９４号公報
【発明の開示】
【発明が解決しようとする課題】
【０００５】
しかし、このようなコネクタにおけるシグナルコンタクトの上部アームは、アクチュエータの回動軸の押さえ機能を発揮する反面、以下のような不具合の発生要因となってしまう。
【０００６】
即ち、コネクタには実装する機器（基板）と挿入するＦＰＣの間に生じるインピーダンスの不整合を抑制（整合）する機能が求められる。
しかし、上記コネクタにおけるシグナルコンタクトは、上部アーム部を有するとともに同形状のコンタクトが並列されるためそのキャパシタンス成分を低減するのが難しい。さらにコネクタが小型の場合は各シグナルコンタクト同士の間隔が狭くなるので、クロストークがより発生し易くなりインピーダンスの整合機能を低下させる要因となっていた。
さらに、チューニングフォーク型のシグナルコンタクトはその構造上インダクタンス成分を低減させることも難しいが、このインダクタンス成分もコネクタのインピーダンス整合機能を低下させる一因となってしまう。
【０００７】
本発明の目的は、アクチュエータによって接続対象物をグランドコンタクト及びシグナルコンタクトに接触させる構造でありながら、良好なインピーダンス整合機能を発揮しうるコネクタを提供することにある。
【課題を解決するための手段】
【０００８】
本発明のコネクタは、絶縁材料からなるインシュレータと、接続対象物の表面と裏面の一方と電気的に導通可能な接触アームを備え、上記インシュレータに一方向に並ぶように固定された複数のグランドコンタクトと、上記接続対象物の上記一方の面と電気的に導通可能な接触アームを備え、隣り合う上記グランドコンタクトの間に位置する態様で上記インシュレータに固定された複数のシグナルコンタクトと、上記接続対象物の表面と裏面の他方に当接可能なアクチュエータと、を備え、上記グランドコンタクトとシグナルコンタクトのうちグランドコンタクトのみが、上記アクチュエータを上記接続対象物側に押圧する押さえアームを具備することを特徴としている。
【０００９】
上記アクチュエータが回転式アクチュエータであり、該回転式アクチュエータは被挟持部を備え、上記押圧アームによって上方から押さえられた該被挟持部回りに回転可能であるのが好ましい。
【００１０】
隣り合う上記グランドコンタクトの間に一対の上記シグナルコンタクトを位置させてもよい。
【００１１】
また、上記シグナルコンタクトとグランドコンタクトが、上記一方向に交互に並んでいてもよい。
【００１２】
上記グランドコンタクトの板厚は上記シグナルコンタクトの板厚より厚いのが好ましい。
【００１３】
上記シグナルコンタクトが、上記接触アームの基端部を支持しかつ貫通穴が形成された基部を備えるのが好ましい。
【発明の効果】
【００１４】
本発明によると、シグナルコンタクトは接触アームのみ具備し押さえアームは具備しないので、押さえアームを具備する場合に比べて、キャパシタンス成分やインダクタンス成分を低減できる。従って、本発明のコネクタは良好なインピーダンス整合機能を発揮できる。
また、シグナルコンタクトが押さえアームに相当するアームを具備する場合は、このアームによってノイズや誘導等の外乱の影響を受けることがある。しかし、本発明のシグナルコンタクトはこのようなアームを具備しないので外乱の影響を受けにくい。
さらに、グランドコンタクトは接触アームのみならず押さえアームも具備しており、各グランドコンタクトの押さえアームがアクチュエータを接続対象物側に押さえるので、グランドコンタクトによりアクチュエータの動作を安定させることが可能である。
【００１５】
請求項２記載の発明によると、アクチュエータが回転式の場合に、アクチュエータの安定した回転を実現できる。
【００１６】
請求項３または４記載の発明によると、シングルエンド伝送や差動伝送などの伝送方式に対してシグナルコンタクトの配置の自由度を向上させることができる。
【００１７】
請求項５記載の発明によると、アクチュエータを押さえる部材であるグランドコンタクトの強度が、シグナルコンタクトより大きくなるので、アクチュエータの回転をさらに安定させられる。
また、シグナルコンタクトとグランドコンタクトが等ピッチで並んでいる場合、シグナルコンタクトとグランドコンタクトとの対向面距離が短くなるので、さらに良好なインピーダンス整合機能を発揮できる。
【００１８】
請求項６記載の発明によると、シグナルコンタクトに貫通穴を形成すると、シグナルコンタクトのキャパシタンス成分が低減するので、極めて良好なインピーダンス整合機能を発揮できる。
【発明を実施するための最良の形態】
【００１９】
以下、添付図面を参照しながら本発明の一実施形態について説明する。なお、以下の説明中の前後の方向は、図１、図１２から図１５に記載した矢印の方向を基準としている。
本実施形態のコネクタ１０は差動伝送用のコネクタであり、大きな構成要素としてインシュレータ２０、グランドコンタクト４０、シグナルコンタクト５０、アクチュエータ（回転式アクチュエータ）６０及びシェル７０を具備している。
インシュレータ２０は絶縁性かつ耐熱性の合成樹脂料を射出成形することにより得られたものである。
図４、図１２から図１５等に示すように、インシュレータ２０は、左右方向に延びる底板部２１と、底板部２１の左右両端部から上方に延びる左側壁部２２及び右側壁部２３と、左側壁部２２及び右側壁部２３の後半部の上端部を接続する天井部２４とを備えている。
底板部２１の前端部には前下方に向かって傾斜する傾斜部２６が形成してある。さらに底板部２１の上面には、傾斜部２６の後端部から底板部２１の後端まで前後方向に直線的に延びる２種類の溝（底部保持溝２７と底部保持溝２８）が等ピッチ間隔で計２４本凹設してある。さらに、底板部２１における隣り合う底部保持溝２７、底部保持溝２８の間に位置する部分の後端部と天井部２４との間は複数の垂直隔壁３０によって接続されており、隣り合う底部保持溝２７、底部保持溝２８の後端部間は各垂直隔壁３０によって仕切られている。さらに、図１３及び図１５に示すように、天井部２４の下面の底部保持溝２８の後端部と対向する部分には、その下端が底部保持溝２８から上方に離間した位置で終端する保持用突部３１が垂設してあり、各保持用突部３１の後面には前方に向かって延びる上部保持溝３２が凹設してある。
さらに、インシュレータ２０の前端面の左側壁部２２と右側壁部２３の内側には、後方に向かって延びる嵌合穴が左右一対として穿設してあり、左右の嵌合穴に一対の金具３７の嵌合片３８がそれぞれ嵌合している。嵌合片３８の上面の前端部は水平な支持平面３９を構成している。
【００２０】
図４、図５、図１２から図１５等に示すように、各垂直隔壁３０によって仕切られたインシュレータ２０内の空間にはそれぞれ、共に金属材料（導電材料）からなる１２個のグランドコンタクト４０と１２個のシグナルコンタクト５０がインシュレータ２０の後端から挿入してある。
インシュレータ２０内部の各底部保持溝２７と対応する空間に挿入されるコンタクトであるグランドコンタクト４０はその後端部をなす基部４１と、共に基部４１から前方に延びる押さえアーム４２及び接触アーム４６と、基部４１の後端下部に突設され実装基板８０（図１２参照）と電気的に導通する鉤状導通部４９と、を備えており、その板厚はシグナルコンタクト５０より厚い。押さえアーム４２の下面の前端部には係合凹部４３が凹設してある。さらに、押さえアーム４２の上面の基端部近傍と基部４１の上面には、共に天井部２４に当接する突部４４と突部４５がそれぞれ突設してある。接触アーム４６の下面の後半部は底部保持溝２７の扁平な底面と面接触する接触平面４７を構成しており、接触アーム４６の下面の前半部は底部保持溝２７の底面から離間している。さらに、接触アーム４６の前端部にはＦＰＣ９０の下面に形成された導通部と接触可能な接触凸部４８が突設してある。
【００２１】
インシュレータ２０内部の各底部保持溝２８と対応する空間に挿入されるコンタクトであるシグナルコンタクト５０は図１及び図２等に示すように、一対のシグナルコンタクト５０が一組として左右に位置するグランドコンタクト４０の間に位置している。
シグナルコンタクト５０はその後端部をなす基部５１と、共に基部５１から前方に延びる接触アーム５２及び係止突部５５と、基部５１の後端下部に突設され実装基板８０と電気的に導通する（図１３参照）鉤状導通部５９と、を備えている。接触アーム５２の下面の後半部は底部保持溝２８の扁平な底面と接触する接触平面５３を構成しており、接触アーム５２の下面の前半部は底部保持溝２８の底面から離間している。さらに、接触アーム５２の前端部にはＦＰＣ９０の下面に形成された導通部と接触可能な接触凸部５４が突設してある。図示するように係止突部５５は各保持用突部３１の上部保持溝３２に嵌合される部分であり、係止突部５５と基部５１の上面に突設された突部５６と突部５７が天井部２４の下面に当接している。また、基部５１には基部５１を板厚方向に貫通する貫通円形穴５８が穿設してある。さらに、接触アーム５２はグランドコンタクト４０の接触アーム４６と同じ高さに位置しており、かつ接触凸部４８と接触凸部５４の前後方向位置は一致している。
【００２２】
アクチュエータ６０は耐熱性の合成樹脂材料を射出成形して得られたものであり、左右方向に延びる操作部６１と、左右に並んだ状態で操作部６１の下面から下方に延びる複数のカム部６２と、隣り合うカム部６２の側面同士を接続する被押圧部６３と、アクチュエータ６０の下端部の左右の側面に突設した支持軸６４と、を有している。被押圧部６３及び支持軸６４は被接触部の構成要素であり、左右の支持軸６４及び各被押圧部６３は同一直線状に位置している。また、操作部６１と隣り合う２つのカム部６２と被押圧部６３との間には、対応するグランドコンタクト４０の押さえアーム４２が貫通する貫通穴６５が形成してある。さらに、各カム部６２の前面は扁平な押圧面６６を構成し、各カム部６２の押圧面６６に連続する下端角部はカム面６７を構成している。また、図１２から図１５に示すように支持軸６４の下端面は扁平な開位置保持面６８となっている。
図１２に示すように、アクチュエータ６０左右の支持軸６４の下端部が左右の金具３７支持平面３９に当接しており、さらに対応する貫通穴６５を貫通する各押さえアーム４２の係合凹部４３が被押圧部６３に上方から係合しているので、アクチュエータ６０はその下端部を中心に図１２及び図１３に示す開位置と、図１４及び図１５に示す閉位置の間を回転可能である。図１２及び図１３に示すように、アクチュエータ６０が開位置に位置すると支持軸６４の開位置保持面６８が支持部３４の支持平面３９と面接触するので、外力が掛からない限りアクチュエータ６０はこの開位置に保持される。
【００２３】
インシュレータ２０の後半部を覆うシェル７０は金属製であり、平板状の上面部７１と、上面部７１の左右両端部から下向きに突出する一対の接続片７２と、上面部７１の後縁部から垂下する後部壁７３と、上面部７１の後縁部における後部壁７３の左右両側から下方に延びる側面視略Ｌ字形の接続部７４と、を備えている。
このシェル７０は、左右の接続片７２をインシュレータ２０の上面に凹設した左右一対の取付孔２５にそれぞれ嵌合することによりインシュレータ２０の後半部に装着される。シェル７０をインシュレータ２０に装着すると、上面部７１がインシュレータ２０の天井部２４を覆い、後部壁７３が各グランドコンタクト４０及びシグナルコンタクト５０の後端（インシュレータ２０の後端面）を覆い、かつ左右の接続部７４が実装基板８０の上面に接続する（半田付けされる）。
【００２４】
以上構成のコネクタ１０は、図１２及び図１３に示すようにアクチュエータ６０が開位置にある状態でインシュレータ２０の前方からインシュレータ２０の内部にＦＰＣ９０を挿入すると、ＦＰＣ９０がグランドコンタクト４０の押さえアーム４２と接触アーム４６の間及びシグナルコンタクト５０の接触アーム５２の上方に位置する。
この状態から図１４及び図１５に示すようにアクチュエータ６０を閉位置側に回転させると、アクチュエータ６０が閉位置に達するまでの過程でアクチュエータ６０のカム面６７がＦＰＣ９０を下方に押圧し、アクチュエータ６０が閉位置に達するとアクチュエータ６０の押圧面６６がＦＰＣ９０の上面に圧接してＦＰＣ９０を下方に押圧する。従って、ＦＰＣ９０の下面に形成した導通部（図示略）と各グランドコンタクト４０の接触凸部４８及びシグナルコンタクト５０の接触凸部５４が確実に接触し、グランドコンタクト４０及びシグナルコンタクト５０がＦＰＣ９０と電気的に導通する。また、アクチュエータ６０の押圧面６６がＦＰＣ９０の上面と面接触するので、アクチュエータ６０が閉位置に移動すると、外力が掛からない限りアクチュエータ６０はこの閉位置に保持される。
【００２５】
以上説明した本実施形態のコネクタ１０は、各グランドコンタクト４０がアクチュエータ６０の被押圧部６３を上方から押さえる押さえアーム４２を具備するものの、各シグナルコンタクト５０は押さえアーム４２に相当するアームを具備しない。そのため、本実施形態のシグナルコンタクト５０は押さえアーム４２に相当するアームを具備する場合に比べてキャパシタンス成分が大幅に低減されている。しかも基部５１には貫通円形穴５８が穿設されているため、さらにキャパシタンス成分を効果的に低減できる。このように本実施形態のコネクタ１０は従来技術に比べてクロストークの発生するおそれが低減されているので、良好なインピーダンス整合機能を発揮可能である。
また、押さえアーム４２に相当するアームによってノイズや誘導等の外乱の影響を受け難くすることができる。
さらに、本実施形態のシグナルコンタクト５０は押さえアーム４２に相当するアームを具備する場合に比べてインダクタンス成分も大幅に低減されている。インダクタンス成分もインピーダンス整合機能を低下させる一因であるため、本実施形態のコネクタ１０はこの点においても従来に比べて良好なインピーダンス整合機能を発揮可能と言える。
【００２６】
さらに、各グランドコンタクト４０の押さえアーム４２がアクチュエータ６０の対応する被押圧部６３を上方から下方に押さえるので、アクチュエータ６０を安定した状態で回転させることが可能である。
しかも、グランドコンタクト４０はシグナルコンタクト５０に比べて板厚（左右方向の厚み）が大きいので、その機械的強度はシグナルコンタクト５０より大きい。従って、グランドコンタクト４０（押さえアーム４２）のみが被押圧部６３を押さえシグナルコンタクト５０は被押圧部６３を押さえない構造であるものの、アクチュエータ６０の安定した回転状態が保証される。
また、このようにグランドコンタクト４０の板厚をシグナルコンタクト５０より厚くすると、等ピッチで並んでいるグランドコンタクト４０とシグナルコンタクト５０の対向面距離が短くなるので、インピーダンス整合機能がさらに良好となる。
また、各グランドコンタクト４０の基部４１及びシグナルコンタクト５０の基部５１がシェル７０によって覆われているので、コネクタ１０の遮蔽特性（ＥＭＩ特性）は良好である。
【００２７】
本発明は本実施形態に限定されるものではなく、様々な変形を施しながら実施可能である。
例えば、左右のグランドコンタクト４０の間に位置する一対のシグナルコンタクト５０で差動伝送を行っているが、各シグナルコンタクト５０をシングルエンド伝送用のコンタクトとして利用してもよい。また、左右のグランドコンタクト４０の間に位置するシグナルコンタクト５０を１本としたり、グランドコンタクト４０とシグナルコンタクト５０を左右方向に交互に並べてもよい。
さらに、シグナルコンタクト５０から係止突部５５を省略して実施することも可能である。
さらに、グランドコンタクト４０とシグナルコンタクト５０のピッチがさらに狭くなった場合は、グランドコンタクト４０とシグナルコンタクト５０の板厚を同じ厚さにして実施してもよい。
また、グランドコンタクト４０とシグナルコンタクト５０の一方をインシュレータ２０の前方からインシュレータ２０内に挿入し他方をインシュレータ２０の後方からインシュレータ２０内に挿入したり、グランドコンタクト４０の接触凸部４８とシグナルコンタクト５０の接触凸部５４の前後方向位置をずらしてもよい。
【００２８】
また、グランドコンタクト４０の鉤状導通部４９をシェル７０（例えば後部壁７３）に接地させてもよい。
さらに、アクチュエータ６０の貫通穴６５はグランドコンタクト４０（押さえアーム４２）と対応する部分のみならずシグナルコンタクト５０と対応する位置にも設けてあるが、シグナルコンタクト５０と対応する位置の貫通穴６５は不要なので、この部分を埋めてしまってもよい。このようにすれば、アクチュエータ６０の強度を向上させることが可能である。
また、アクチュエータ６０に、貫通穴６５の代わりに押さえアーム４２の先端部が遊嵌する凹部を形成してもよい（ただし、凹部はアクチュエータ６０が開位置から閉位置まで回転可能となる深さである必要がある）。
【００２９】
さらに、図１６及び図１７に示すように、アクチュエータを回転式ではなくスライド式としてもよい。
このコネクタ１００（インシュレータ２０、垂直隔壁３０、保持用突部３１等の形状がコネクタ１０のものとは若干異なるが機能は同じである。また、押さえアーム４２は係合凹部４３を具備せず、その下面は平面である）は、アクチュエータ６０を省略した代わりに、前方からインシュレータ２０内に挿脱可能なアクチュエータ１１０を具備している。このアクチュエータ１１０は、グランドコンタクト４０の押さえアーム４２と接触アーム４６の間に挿入可能な押圧部１１１を有している。
図示するように、ＦＰＣ９０の後部がグランドコンタクト４０の押さえアーム４２と接触アーム４６の間に位置し、かつシグナルコンタクト５０の接触アーム５２の上方に位置する状態で前方からインシュレータ２０内にアクチュエータ１１０の押圧部１１１を挿入すると、押圧部１１１が押さえアーム４２の下面及びＦＰＣ９０の上面に圧接するので、ＦＰＣ９０が下方に押圧される。従って、グランドコンタクト４０の接触凸部４８及びシグナルコンタクト５０の接触凸部５４がＦＰＣ９０の下面の導通部と確実に導通する。
この図１６及び図１７の変形例においても、上記実施形態と同様の効果が得られる。
【００３０】
さらに図示は省略してあるが、回転式のアクチュエータ６０とスライド式のアクチュエータ１１０のいずれを採用する場合であっても、グランドコンタクト４０とシグナルコンタクト５０がＦＰＣ９０の上面と接触（電気的に導通）する上接点構造のコネクタとして本発明を実施可能である。
【００３１】
また、接続対象物はＦＰＣ以外のもの、例えばフレキシブルフラットケーブル（ＦＦＣ）であってもよい。
【図面の簡単な説明】
【００３２】
【図１】アクチュエータが閉位置にあるときに、本発明の一実施形態のコネクタを前方から見た斜視図である。
【図２】アクチュエータが開位置にあるときにコネクタを前方から見た斜視図である。
【図３】アクチュエータが開位置にあるときにコネクタを後方から見た斜視図である。
【図４】コネクタ前方から見た分解斜視図である。
【図５】コネクタの後方から見た分解斜視図である。
【図６】グランドコンタクト単品の前方から見た斜視図である。
【図７】シグナルコンタクト単品の前方から見た斜視図である。
【図８】アクチュエータが開位置にあるときのコネクタの正面図である。
【図９】アクチュエータが開位置にあるときのコネクタの平面図である。
【図１０】アクチュエータが閉位置にあるときのコネクタの正面図である。
【図１１】アクチュエータが閉位置にあるときのコネクタの平面図である。
【図１２】図８のXII−XII矢線に沿う断面図である。
【図１３】図８のXIII−XIII矢線に沿う断面図である。
【図１４】図１０のXIV−XIV矢線に沿う断面図である。
【図１５】図１０のXV−XV矢線に沿う断面図である。
【図１６】変形例のコネクタの図８の矢線XII−XIIと同じ位置で切った断面図である。
【図１７】変形例のコネクタの図８の矢線XIII−XIIIと同じ位置で切った断面図である。
【符号の説明】
【００３３】
１０    コネクタ
２０    インシュレータ
２１    底板部
２２    左側壁部
２３    右側壁部
２４    天井部
２５    取付孔
２６    傾斜部
２７    底部保持溝
２８    底部保持溝
３０    垂直隔壁
３１    保持用突部
３２    上部保持溝
３７    金具
３８    嵌合片
３９    支持平面
４０    グランドコンタクト
４１    基部
４２    押さえアーム
４３    係合凹部
４４  ４５  突部
４６    接触アーム
４７    接触平面
４８    接触凸部
４９    鉤状導通部
５０    シグナルコンタクト
５１    基部
５２    接触アーム
５３    接触平面
５４    接触凸部
５５    係止突部
５６  ５７  突部
５８    貫通円形穴
５９    鉤状導通部
６０    アクチュエータ（回転式アクチュエータ）
６１    操作部
６２    カム部
６３    被押圧部
６４    支持軸
６５    貫通穴
６６    押圧面
６７    カム面
６８    開位置保持面
７０    シェル
７１    上面部
７２    接続片
７３    後部壁
７４    接続部
８０    実装基板
９０    ＦＰＣ（接続対象物）
１００  コネクタ
１１０  アクチュエータ（スライド式アクチュエータ）
１１１  押圧部
【図１】
2008186600.tif 000003
【図２】
2008186600.tif 000004
【図３】
2008186600.tif 000005
【図４】
2008186600.tif 000006
【図５】
2008186600.tif 000007
【図６】
2008186600.tif 000008
【図７】
2008186600.tif 000009
【図８】
2008186600.tif 000010
【図９】
2008186600.tif 000011
【図１０】
2008186600.tif 000012
【図１１】
2008186600.tif 000013
【図１２】
2008186600.tif 000014
【図１３】
2008186600.tif 000015
【図１４】
2008186600.tif 000016
【図１５】
2008186600.tif 000017
【図１６】
2008186600.tif 000018
【図１７】
2008186600.tif 000019